(57)【要約】【課題】過去の単位面積あたりの収量を圃場で簡単に確認する。【解決手段】圃場を複数の区画に分けた単位面積当たりの収量及び区画の位置情報を受信し、記憶可能、かつ、区画ごとの単位面積当たりの収量データを送信可能に構成される管理サーバと、現在位置の位置情報を取得するレシーバ、端末の姿勢及び方位を検出するセンサ、撮像装置及び撮像装置によって撮影された映像を表示する表示装置、及び、レシーバによって取得した位置情報を送信し、かつ、管理サーバから送信される区画ごとの単位面積当たりの収量データを受信する通信装置を備える携帯端末と、を含み、携帯端末の撮像装置によって撮影される映像に含まれる圃場の区画を、当該圃場の区画の位置情報と携帯端末の位置情報に基づいて特定するとともに、表示装置上の撮像装置によって撮影された映像内に、特定された圃場の区画における単位面積当たりの収量を当該圃場の区画に重ねて表示する。【選択図】図６
2018151770.tif 000002
【特許請求の範囲】
【請求項１】
複数の圃場の収量情報を取得し、表示するシステムであって、
前記圃場を複数の区画に分けた単位面積当たりの収量及び区画の位置情報を受信し、記憶可能、かつ、前記区画ごとの単位面積当たりの収量データを送信可能に構成される管理サーバと、
現在位置の位置情報を取得するレシーバ、端末の姿勢及び方位を検出するセンサ、撮像装置及び撮像装置によって撮影された映像を表示する表示装置、及び、前記レシーバによって取得した位置情報を送信し、かつ、前記管理サーバから送信される前記区画ごとの単位面積当たりの収量データを受信する通信装置を備える携帯端末と、を含み、
前記携帯端末の撮像装置によって撮影される映像に含まれる圃場の区画を、当該圃場の区画の位置情報と携帯端末の位置情報に基づいて特定するとともに、前記表示装置上の撮像装置によって撮影された映像内に、前記特定された圃場の区画における単位面積当たりの収量を当該圃場の区画に重ねて表示することを特徴とする収量情報表示システム。
【請求項２】
前記携帯端末の表示装置に、過去の複数年分の収量データを同時に表示する請求項１に記載の収量情報表示システム。
【請求項３】
前記携帯端末の表示装置の一部に、当該携帯端末の現在位置と各圃場の位置関係を表示する請求項１又は２に記載の収量情報表示システム。
【発明の詳細な説明】
【技術分野】
【０００１】
本発明は、圃場における過去の収量情報を取得し、その結果を携帯端末に表示するシステムに関する。
【背景技術】
【０００２】
特許文献１には、農業機械が複数の圃場で農作業したときに収集する農作業情報と、衛星測位システムによって検出された農業機械の作業位置と、各圃場の地図データ等によって、農作業情報を圃場毎に整理する構成について開示されている。
【先行技術文献】
【特許文献】
【０００３】
【特許文献１】特開２０１４−０７１７０４号公報
【発明の概要】
【発明が解決しようとする課題】
【０００４】
圃場を管理する上で、田植えを行う前や、田植えを行った後の追肥や農薬散布の際に、その圃場における過去の単位面積あたりの収量を参考にすることで、次の収穫時の収量を改善するという要望がある。しかしながら、そのような圃場の過去の収量情報を現場で簡単に確認する手段がなかった。
【課題を解決するための手段】
【０００５】
複数の圃場の収量情報を取得し、表示するシステムであって、前記圃場を複数の区画に分けた単位面積当たりの収量及び区画の位置情報を受信し、記憶可能、かつ、前記区画ごとの単位面積当たりの収量データを送信可能に構成される管理サーバと、現在位置の位置情報を取得するレシーバ、端末の姿勢及び方位を検出するセンサ、撮像装置及び撮像装置によって撮影された映像を表示する表示装置、及び、前記レシーバによって取得した位置情報を送信し、かつ、前記管理サーバから送信される前記区画ごとの単位面積当たりの収量データを受信する通信装置を備える携帯端末と、を含み、前記携帯端末の撮像装置によって撮影される映像に含まれる圃場の区画を、当該圃場の区画の位置情報と携帯端末の位置情報に基づいて特定するとともに、前記表示装置上の撮像装置によって撮影された映像内に、前記特定された圃場の区画における単位面積当たりの収量を当該圃場の区画に重ねて表示する。
【０００６】
前記携帯端末の表示装置に、過去の複数年分の収量データを同時に表示する。
【０００７】
前記携帯端末の表示装置の一部に、当該携帯端末の現在位置と各圃場の位置関係を表示する。
【発明の効果】
【０００８】
本発明によれば、過去の単位面積あたりの収量を圃場で簡単に確認することができる。そして、例えば、田植え後に特定の箇所に肥料を多く使用することで、収量の改善活動につなげることができる。
【図面の簡単な説明】
【０００９】
【図１】収量情報表示システムを示す図
【図２】管理サーバに記憶されるデータを示す図
【図３】携帯端末を示す図
【図４】収量情報表示システムのチャート図
【図５】対象となる圃場の一例を示す図
【図６】収量情報の表示の一例を示す図
【図７】収量情報の表示の一例を示す図
【図８】収量情報の表示の一例を示す図
【発明を実施するための形態】
【００１０】
図１から図３を参照して、収量情報表示システム１の構成について説明する。
【００１１】
図１は、収量情報表示システム１の概略構成を示す。収量情報表示システム１は、管理サーバ２０及び携帯端末３０を含む。管理サーバ２０には、対象となる圃場の位置情報と、その圃場で過去にコンバイン１０が収穫した際の単位面積当たりの収量に関するデータとが関連付けられて記憶されている。
【００１２】
コンバイン１０には、単位面積当たりの収量を計測する計測器１１と、計測結果を無線データ通信により送信する通信機１２が設けられ、通信機１２を介して計測器１１による計測結果が管理サーバ２０に送信される。ここで、「単位面積当たりの収量」とは、コンバイン１０によって刈り取られた穀捍を脱穀・選別して得られた穀粒の収穫量のうち、所定の走行距離に対応する分量を計測した値である。例えば、コンバイン１０のグレンタンクの入口に穀粒と衝突するセンサを設け、センサが検出する衝撃から収穫量を計測し、所定の走行距離で割ることで、走行距離当たりの収量を算出することができる。
【００１３】
管理サーバ２０は、無線データ通信によりデータを送受信する通信装置、受信したデータを記憶する記憶装置等を備えている。管理サーバ２０側では、コンバイン１０が収穫した単位面積当たりの収量を位置情報に紐付けて記憶する。管理サーバ２０には、圃場の地図データを単位面積で区分けしたそれぞれの区画における収量データが、その区画の位置情報とともに保存されている。
【００１４】
携帯端末３０は、端末の位置情報を取得するＧＮＳＳレシーバと、端末の姿勢及び方位を検出するセンサと、撮像装置と、表示装置と、無線データ通信によってデータを送受信する通信装置を備える。「端末の位置情報」とは、携帯端末３０の現在位置における緯度・経度・高度の値であり、ＧＮＳＳ衛星からの信号をＧＮＳＳレシーバにて受信することで取得される。また、「端末の姿勢」とは、端末の三次元方向の傾斜を示し、「端末の方位」とは、撮像装置による撮影方向を示すものであり、ジャイロセンサ、地磁気センサ、加速度センサ等によって検出される。携帯端末３０は、ネットワークを介した無線データ通信によって端末の位置情報や姿勢方位に関する情報を管理サーバ２０に送信する。
【００１５】
以上のように、携帯端末３０から管理サーバ２０に各種データが送信される。管理サーバ２０では、携帯端末３０の位置情報及び姿勢方位情報に基づいて、携帯端末３０の撮像装置の撮影範囲内に存在する圃場が特定される。そして、管理サーバ２０は、特定した圃場における単位面積当たりの収量データを携帯端末３０に送信する。携帯端末３０は、端末の位置情報と管理サーバ２０から受信した収量データの位置情報とに基づいて、該当する圃場の区画の収量データを表示装置に表示する。
【００１６】
図２は、管理サーバ２０において記憶されるデータ群の一例を示している。管理サーバ２０の記憶装置２１には、コンバイン１０によって収穫された圃場の位置情報（緯度・経度・高度の値）、計測器１１によって計測された収量データ（区画の位置情報、計測値）が各圃場に対応する形で記憶されている。また、記憶装置２１は、各圃場において取得された収量データを収穫した年度に対応させて記憶する。このように年毎に収量データを蓄積することで、作物の生育状況を推測するデータとして利用することが可能となっている。
【００１７】
図３は、携帯端末３０の一例を示している。携帯端末３０は、端末の位置情報を取得するＧＮＳＳレシーバ３１、端末の姿勢方位を検出するジャイロセンサ３２、撮像装置としての外部カメラ３３、表示装置としてのディスプレイ３４、無線データ通信を行うための通信装置３５を備え、さらに、オペレーションシステムやアプリケーションソフトウェアが搭載されている。本実施形態では、携帯端末３０に搭載されるアプリケーションソフトウェアによって、外部カメラ３３によって撮影された映像をディスプレイ３４に表示するとともに、その映像内に所望の情報を重ねて表示する。
【００１８】
次に、図４から図６を用いて、携帯端末３０に圃場の収量情報を表示する一例について説明する。図４は、収量情報表示システム１のチャート図である。図５は、対象となる圃場の一例を示す図である。図６は、収量情報表示の一例を示す図である。
【００１９】
第１圃場から第３圃場において、それぞれのコンバイン１０による収穫時の単位面積当たりの収量データ及び区画の位置情報が管理サーバ２０に送信され、管理サーバ２０によって受信される。管理サーバ２０は、受信した区画の位置情報と単位面積当たりの収量データを関連付けて記憶する。
【００２０】
携帯端末３０から端末の位置情報及び姿勢方位情報が管理サーバ２０に送信される。管理サーバ２０は、携帯端末３０の位置情報と姿勢方位情報から、外部カメラ３３による撮影範囲を特定する。この撮影範囲は、例えば記憶装置２１に予め記憶している地図データ上で、ＧＮＳＳレシーバ３１によって取得される位置情報を用いて携帯端末３０の位置を特定し、ジャイロセンサ３２の検出結果から外部カメラ３３の撮影方向と携帯端末３０の三次元の傾斜を特定することで算出される。次に、管理サーバ２０は、特定した撮影範囲に含まれる圃場を特定する。このようにして特定された圃場の単位面積当たりの収量データ及び区画の位置情報が携帯端末３０に送信される。
【００２１】
携帯端末３０は、ディスプレイ３４上に表示される映像内に、受信した圃場の単位面積当たり収量を対応する圃場の区画上に重ねて表示する。ここで、「重ねて表示する」とは、ディスプレイ３４上に表示される圃場の各区画に対応する位置に単位面積当たりの収量を表示することを意味し、ディスプレイ３４に収量情報をオーバーレイで表示することを意味する。単位面積当たりの収量は、例えば図示のように立体の棒グラフで表示する他、周囲の区画との収量の差が大きい箇所を強調して表示することも可能である。
【００２２】
以上のように、収量情報表示システム１によれば、携帯端末３０の位置及び姿勢方位（つまり、ユーザーの現在位置と携帯端末３０を向けている方向）と圃場との位置関係に応じて、ディスプレイ３４上の表示が変わることで、現在位置と圃場の位置関係を容易に把握することができ、知りたい収量情報を簡単に確認することができる。また、区画ごとの収量を目で見て確認することで、例えば収量の低い区画の肥料の量を増やしたり、土壌改善を行ったりすることができ、圃場全体の収量を増加させる作業を効率化することができる。
【００２３】
また、管理サーバ２０は、コンバイン１０によって取得された収量データを取得年度とともに時系列に沿って記憶していることから、図７に示すように、携帯端末３０のアプリケーションソフトウェア側で操作することで、過去の複数年分の収量データを要求し、管理サーバ２０から受け取り、過去からの推移状況を同時に表示することも可能である。このように、作物の育成状況に関わる過去からの収量データの推移を実際の目視による育成状況と対比させることで、圃場の見回り結果の納得性をアップすることができる。
【００２４】
携帯端末３０におけるディスプレイ３４の表示形態としては、図６に示す他、図８に示される表示方法を採用することができる。
【００２５】
図８に示す表示方法では、ディスプレイ３４上に表示する映像の一部に、携帯端末３０の位置（ユーザーの現在位置）と各圃場の位置関係を示す地図データを表示している。また、地図データ上に外部カメラ３３の撮影範囲を重ねて表示することで、現在位置と圃場との位置関係をより分かりやすくすることもできる。この地図データは、管理サーバ２０に記憶しているものを利用しても良いし、携帯端末３０のアプリケーションソフトウェアを利用しても良い。このように、携帯端末３０のディスプレイ３４に現在位置と圃場との位置関係を表示することで、携帯端末３０の操作性を向上することができ、見回り効率を向上することができる。
【符号の説明】
【００２６】
１：収量情報表示システム、２０：管理サーバ、３０：携帯端末、３３：外部カメラ（撮像装置）、３４：ディスプレイ（表示装置）  
【図１】
2018151770.tif 000003
【図２】
2018151770.tif 000004
【図３】
2018151770.tif 000005
【図４】
2018151770.tif 000006
【図５】
2018151770.tif 000007
【図６】
2018151770.tif 000008
【図７】
2018151770.tif 000009
【図８】
2018151770.tif 000010